(57)【要約】【課題】収納部の高さ位置を自由にかつ容易に変更することができる収納棚を提供する。【解決手段】建物の壁面Ｗに沿って上下方向に延在するように設置される左右一対のレール２，２と、レール２，２に設けられ、壁面Ｗから前方に突出するように設けられる物品の収納体１とを備え、収納体１は、その後端に左右一対の突出部４，４を備え、各レール２，２は、それぞれ収納体１の各突出部４，４を挿入可能とする空間を隔てて上下方向に配置され、突出部４，４を空間に挿入したときに、その前方及び後方への移動を規制する前方壁部及び後方壁部と、前方壁部、後方壁部間に上下方向に間隔をおいて複数設けられ、突出部４を空間に挿入したときに下方への移動を規制する係合部１５とを備え、かつ空間は、収納体１をその姿勢を変更して突出部１５を上方又は下方の他の係合部１５に移動・係止可能に形成されていることを特徴とする。【選択図】図１
2012239653.tif 000002
【特許請求の範囲】
【請求項１】
建物の壁面に沿って上下方向に延在するように設置される左右一対のレールと、
これらのレールに設けられ、前記壁面から離間する前方に突出するように設けられる物品の収納体とを備え、
該収納体は、その後端に左右一対の突出部を備え、
前記各レールは、それぞれ前記収納体の各突出部を挿入可能とする空間を隔てて上下方向に配置され、該突出部を前記空間に挿入したときに、その前方及び後方への移動を規制する前方壁部及び後方壁部と、これら前方壁部、後方壁部間に上下方向に間隔をおいて複数設けられ、前記突出部を前記空間に挿入したときにその下方への移動を規制する係合部とを備え、かつ前記空間は、前記収納体をその姿勢を変更して前記突出部を上方又は下方の他の係合部に移動・係止可能に形成されていることを特徴とする収納棚。
【発明の詳細な説明】
【技術分野】
【０００１】
本発明は、上下動自在な収納棚に関する。
【背景技術】
【０００２】
従来より、洗面室や浴室内において石鹸，化粧品の瓶又はシャンプーボトル等を載置するために、洗面台や浴室の壁面に固定されて用いられる収納棚が広く知られている（例えば、下記特許文献１）。
図９に示すように、特許文献１に記載された収納棚１００は、浴室等の壁面に沿ってビス等を用いて取り付けられる背板パネル１０１と、該背板パネル１０１の板面１０１ａから水平方向に突出させ物品を載置させる棚板１０２，１０２と、棚板１０２に載置した物品の転落防止のためのガード板１０３とから概略構成されている。
棚板１０２は、背板パネル１０１の上下方向に十分な間隔をおいて２つ固定配置されており、高さ寸法のある物品を載置できるようになっている。
【先行技術文献】
【特許文献】
【０００３】
【特許文献１】特開２００５−３４８９５４号公報
【発明の概要】
【発明が解決しようとする課題】
【０００４】
ところで、浴室においては、例えば洗髪をする場合、個々人の体格や洗髪時の体勢によって好適なシャンプー等の配置高さが異なるが、上記従来の収納棚１００によれば、棚板１０２が背板パネル１０１に固定されその高さ位置を変更することができないため、収納棚１００を使用者の好みの高さに合わせて使用し難いという問題があった。
本発明は、上記事情に鑑みて、物品を収納する収納体の高さ位置を自由にかつ容易に変更することができる収納棚を提供することを課題とする。
【課題を解決するための手段】
【０００５】
本発明に係る収納棚は、上記した課題を解決するべく、下記の手段を提供している。
すなわち、請求項１に係る収納棚は、建物の壁面に沿って上下方向に延在するように設置される左右一対のレールと、これらのレールに設けられ、前記壁面から離間する前方に突出するように設けられる物品の収納体とを備え、該収納体は、その後端に左右一対の突出部を備え、前記各レールは、それぞれ前記収納体の各突出部を挿入可能とする空間を隔てて上下方向に配置され、該突出部を前記空間に挿入したときに、その前方及び後方への移動を規制する前方壁部及び後方壁部と、これら前方壁部、後方壁部間に上下方向に間隔をおいて複数設けられ、前記突出部を前記空間に挿入したときにその下方への移動を規制する係合部とを備え、かつ前記空間は、前記収納体をその姿勢を変更して前記突出部を上方又は下方の他の係合部に移動・係止可能に形成されていることを特徴とする。
本発明の収納棚によれば、収納体の姿勢を変更することにより該収納体をレールの上下方向に移動させてその係止位置を容易に変更することができる。また、突出部を前記空間に挿入させた際に、突出部を支持する前方壁部と、突出部を支持する後方壁部とを有しているため、突出部をレール内において安定的に保持することができる。
【発明の効果】
【０００６】
本発明による収納棚によれば、収納体の姿勢を変更することにより該収納体をレールの上下方向に容易に移動させて係止位置を変更することができ、使用者の好みに合わせて収納位置を自由に設定することができるという効果を奏する。
【０００７】
また、突出部を係止部に係止させた際に、突出部を支持する前方壁部と後壁部とを有しているため、収納部の突出部をレール内において安定的に保持することができるという効果を奏する。
【図面の簡単な説明】
【０００８】
【図１】は、本発明の第１の実施形態として示した収納棚の斜視図である。
【図２】は、本発明の第１の実施形態として示した収納棚の収納体の斜視図である。
【図３】は、本発明の第１の実施形態として示した収納棚のレールの断面図である。
【図４】は、本発明の第１の実施形態として示した収納棚の収納体とレールとの係止状態を一部を断面視して示した側面図であり、（ａ）は、収納体がレールに係止した状態を示した側面図であり、（ｂ）は収納体のレールへの係止が解除された状態を示した側面図である。
【図５】は、本発明の第２の実施形態として示した収納棚の正面図である。
【図６】は、図５に示された収納棚をＳ−Ｓ線において矢視した一部断面図である。
【図７】は、本発明の第２の実施形態として示した収納棚の収納体とレールとの係止状態を示した側面図である。
【図８】は、本発明の第２の実施形態として示した収納棚の収納体とレールとの係止状態を示した正面図である。
【図９】は、従来の収納棚を示す斜視図である。
【発明を実施するための形態】
【０００９】
以下、本発明に係る収納棚の第１及び第２の実施形態について、図１〜図８を参照して説明する。なお、本発明の図１，図５にそれぞれ示す第１及び第２の実施形態の収納棚１０，２０は、浴室内に設置する収納棚を例として説明し、各図において、建物すわなち浴室の壁面Ｗ方向を後方（又は矢印Ｘ方向）とし、浴室の壁面Ｗに対し離間する方向を前方（又は矢印Ｙ方向）とする。
図１は、本発明の第１の実施形態を示す図であって、物品を保持する複数の収納体１，１・・（なお、本図においては一の収納体１のみ表示）と、この複数の収納体１，１・・を浴室の壁面Ｗに支持固定するレール２，２とを備えた収納棚１０を示したものである。
【００１０】
図２に示すように、収納体１は、平面視略矩形で所定の深さ寸法を有するよう形成され、物品を収容可能とされた収納部３と収納部３を図１に示すレール２，２に係止する突出部４，４とを有する。
収納部３は、金属製の棒材３ａ，３ａ・・を折曲して形成された受け部５と上枠部６とを備えて形成されている。
受け部５は、両端部を立ち上げるように折曲した複数の金属製の棒材３ａ，３ａ・・が等間隔で平行に配置されて形成されたものであり、これら複数の棒材３ａ，３ａ・・によって底部７と互いに対向する立ち上がり部８，８とを形成している。
【００１１】
上枠部６は、金属製の棒材が略コ字状に折曲され受け部５の上端に配されたものであり、平面視矩形の受け部５の前方及び側方の３方向を取り囲むように受け部５の両側の立ち上がり部８，８の上端と溶接され、受け部６を構成する複数の棒材３ａ，３ａ・・同士を連結している。
【００１２】
突出部４は、上枠部６の端部８ｔ，８ｔから互いに離間する方向に水平に延在する丸棒状の基部４ａと基部４ａから下方に向かって延在する丸棒状の折曲部４ｂとを備え、レール２，２内に係止できるようになっている。基部４ａは、図４（ａ）に示すレール２の係止部１５の上面１５ａに係止されるようになっており、折曲部４ｂは、基部４ａの端部から下方かつ後方に向かって傾斜するように形成されている。
【００１３】
図１に示すように、レール２は、断面視略コ字状又は逆コ字状に形成された長尺のレールを一対として用いられるものであり、図３に示すように、浴室の壁面Ｗに取り付けられる後方壁部１１と、後方壁部１１の端部から垂直に延在する側壁部１２と、側壁部１２の端部から垂直に延在するとともに後方壁部１１に対向する前方壁部１３とを有している。これら後方壁部１１，側壁部１２及び前方壁部１３によって一方向が開口部２ａとされた空間１４が形成されている。
【００１４】
係止部１５は、前方壁部１３と後方壁部１１との間、具体的には前方壁部１３側の内壁面から後方に向かって膨出するよう形成されており、図１に示すように長手方向に所定の間隔をおいて複数形成されている。図４（ａ）に示すように、この係止部１５の上面１５ａには、収納体１の突出部４を係止できるようになっている。
図４（ｂ）に示すように、係止部１５の頂面１５ｂから後方壁部１１までの間は、基部４ａ及び折曲部４ｂの断面径よりも僅かに大きい一定の幅寸法の通路１６となっており、収納部３を持ち上げて収納体１の姿勢を変更し折曲部４ｂを後方壁部１１に沿って平行に配した際に、基部４ａと折曲部４ｂとが該通路１６を通過可能となっている。
【００１５】
次に、上記の収納棚１０の使用方法について説明する。
まず、図１に示すように、一対のレール２，２をその長手方向を上下方向に向け、かつ開口部２ａ，２ａが対向するように浴室の壁面Ｗに間隔をおいて配置し、固定する。
レール２，２の上端または下端から収納体１の突出部４，４を挿入し、所望の高さに位置する係止部１５に係止する。
【００１６】
この際、収納体１をレール２，２内にて移動させるときは、図１に示す折曲部４ｂの先端を結ぶ軸線Ｌ１を中心として、図４（ｂ）に示すように収納体１を回動させて収納部３の前方部分を上方に持ち上げ、折曲部４ｂを後方壁部１１側に沿って平行に配置させ、基部４ａと係止部１５との係止を解除し、基部４ａ及び折曲部４ｂが通路１６を通過できる姿勢にする。
【００１７】
そして、収納体１を所望の係止位置に移動させ収納体１をレール２，２に係止したいときは、図４（ａ）に示すように、収納部１の姿勢を元の水平状態に戻し、基部４ａ，４ａを係止部１５の上面１５ａに係止させるとともに前方壁部１３に基部４ａを係合させ、折曲部４ｂの先端を後方壁部１１に係合させる。
【００１８】
このようにして、収納体１の突出部４，４をレール２，２内にて係止部１５，１５に係止及び係合させることにより、突出部４，４を係止部１５の上面１５ａ並びにレール２，２の前方壁部１３及び後方壁部１１から支持できるとともに、収納体１を回動させて姿勢を変えるだけで容易に係止部１５と突出部４との係止を解除し収納体１をレール２，２の空間１４内にて自由に移動させることができる。
【００１９】
以上のように、本発明の収納棚１０によれば、軸線Ｌ１を中心として収納体１の姿勢を変更することにより突出部４と係止部１５とが係止し又は係止が解除されるため、収納体１のレール２，２への係止及び係止の解除が簡便で、収納体１をレール２，２の上下方向に複数設けられた係止部１５，１５・・に容易に移動させ、係止させることにより、収納体１の高さ調節をすることができるという効果が得られる。
【００２０】
また、突出部４を係止部１５の上面１５ａに係止させた際に、係止部１５の上方において突出部４を支持する前方壁部１３と、前方壁部１３の下方において突出部４を支持する後方壁部１１とを有しているため、収納体１の突出部４をレール２，２内において安定的に保持することができるという効果が得られる。  
【００２１】
また、収納体１の突出部４が丸棒状の基部４ａ及び一定の長さ寸法を有する折曲部４ｂを備えて形成され、この突出部４がレール２の空間１４内に挿入配置される構成となっているため、収納体１が誤って上方に若干移動し基部４ａが係止部１５の上面１５ａから離間してしまっても、折曲部４ｂが後方壁部１１に沿って平行にならない限り突出部４の係止が完全に解除されず、収納体１がレール２，２内で落下し難いため、係止構造がシンプルであっても、収納体１をレール２，２に確実に固定することができるという効果が得られる。
【００２２】
次に、本発明の第２の実施形態について説明する。この実施形態において、第１の実施形態の構成と同様の構成については同一の符号を付しその説明を省略する。
第２の実施形態の収納棚２０は、第１の実施形態の収納棚１０と主として係止部及び突出部の構成において異なっている。
図５に示すように、本実施形態の突出部２４，２４の基部２４ａ，２４ａは、収納部３の上枠部６から互いに離間する方向に水平に延びている。また、折曲部２４ｂ，２４ｂは、基部２４ａ，２４ａの端部から湾曲しながら下方にやや傾斜して延びた後、更に湾曲しながら互いに接近する方向に水平に延び、突出部４を正面視した際の外形が、弧が水平方向に僅かに潰れた円弧形状を形成している。
【００２３】
レール２２，２２は、図６に示すように、前方壁部１３と後方壁部１１との間寸法が、突出部２４の断面径寸法よりも僅かに大きい寸法に形成されているとともに、図５，図６に示すように、係止部２５が互いに対向する側壁部１２，１２の内面から互いに対向して突出するように形成されている。なお、レール２２の係止部２５と前方壁部１３又は後方壁部１１との間には突出部２４が通過し得る通路は形成されていない。
【００２４】
上記の構成において、突出部２４を係止部２５に係止させた場合には、図７に示すように、収納体２１が収納部３の自重によって前傾しようとし、突出部２４の基部２４ａがレール２２の前方壁部１３に係合するとともに、折曲部２４ｂの下端部が後方壁部１１に係合し、これら前方壁部１３，後方壁部１１，及び係止部２５により突出部２４が支持されて収納体２１を係止できるようになっている。
【００２５】
したがって、収納体２１の突出部２４をレール２２，２２の空間１４に挿入して係止部２５に突出部２４，２４を係止させた場合、突出部２４の基部２４ａ又は折曲部２４ｂを通る軸線を中心に収納体２１を回動させて収納体２１の突出部２４に係止部２５を通過させることはできず、その代わりに、図８に示すように、収納体２１を上方に移動させた上で、後方壁部１１を取り付けた浴室の壁面Ｗに垂直でかつ収納体２１を突出部２４，２４間の中心を通る軸線Ｌ２を中心に収納体２１を回動させて突出部２４の折曲部２４ｂを回動に従って僅かに弾性変形及び弾性復帰させて係止部２５との係合を解除できるようになっている。
【００２６】
以上のように、本発明の収納棚２０によれば、軸線Ｌ２を中心として収納体１を回動させて姿勢を変更することにより突出部２４と係止部２５とが係止し又は係止が解除されるため、収納体１のレール２２，２２への係止及び係止の解除が簡便で、収納体１をレール２２，２２の上下方向に複数設けられた係止部２５，２５・・に容易に移動させ、係止させることにより、収納体１の高さ調節をすることができるという効果が得られる。
【００２７】
また、突出部２４を係止部２５の上面２５ａに係止させた際に、突出部２４を支持する前方壁部１３と、前方壁部１３の下方において突出部２４を支持する後方壁部１１とを有しているため、収納体１の突出部２４をレール２２，２２内において安定的に保持することができるという効果が得られる。  
【００２８】
また、収納体２１を上方に移動させて軸線Ｌ２を中心に回動させた場合に係止が解除される構成となっているため、使用者が誤って収納体２１に触れ基部２４ａが係止部２５の上面から離間してしまっても、容易に突出部２４と係止部２５との係止が解除されず、収納体２１がレール２２，２２内で落下し難いため、係止構造がシンプルであっても、収納体２１をレール２２，２２に確実に固定することができるという効果が得られる。  
【００２９】
なお、上記した第１及び第２の実施形態において、レール２，２及びレール２２，２２は互いに分離した構成となっているが、この構成に限られるものではなく、例えば図１又は図６において２点鎖線で示すように、後方壁部１１，１１が連結した構成とされているものであってもよい。
【符号の説明】
【００３０】
１    収納体
２，２２    レール
２ａ  開口部
３    収納部
４，２４    突出部
４ａ，２４ａ  第１の腕部
４ｂ，２４ｂ  第２の腕部
１０，２０  収納体
１１  後方壁部
１３  前方壁部
１４  空間
１５，２５  係止部
１６  通路
Ｌ１，Ｌ２  軸線
Ｗ    浴室の壁面（建物の壁面）
【図１】
2012239653.tif 000003
【図２】
2012239653.tif 000004
【図３】
2012239653.tif 000005
【図４】
2012239653.tif 000006
【図５】
2012239653.tif 000007
【図６】
2012239653.tif 000008
【図７】
2012239653.tif 000009
【図８】
2012239653.tif 000010
【図９】
2012239653.tif 000011